(57)【特許請求の範囲】
【請求項１】
アルミニウム製のプレート部材を積層して形成されるコア部（１１）の下面を覆って、オイルクーラ着座部（３９）に固定されるアルミニウム製の取付プレート（２７）を配置するとともに、前記コア部（１１）の下面と前記取付プレート（２７）との間にアルミニウム製の補強プレート（２５）を介在させ、この補強プレート（２５）を前記コア部（１１）の下面および前記取付プレート（２７）にろう付けしてなるハウジングレス式オイルクーラにおいて、
前記取付プレート（２７）の外周に、前記オイルクーラ着座部（３９）側に突出する突出部（２７ａ）を一体形成するとともに、この突出部（２７ａ）と前記補強プレート（２５）との間にアルミニウム製の位置決め部材（４１）を挟持してろう付けし、前記位置決め部材（４１）に形成される突起部（４１ａ）を、前記突出部（２７ａ）に形成される切欠溝（２７ｂ）から前記オイルクーラ着座部（３９）側に突出してなることを特徴とするハウジングレス式オイルクーラ。
【請求項２】
請求項１記載のハウジングレス式オイルクーラにおいて、
前記位置決め部材（４１）の突起部（４１ａ）を、前記突出部（２７ａ）の切欠溝（２７ｂ）に圧入してなることを特徴とするハウジングレス式オイルクーラ。
【発明の詳細な説明】
【０００１】
【発明の属する技術分野】
本発明は、オイルクーラに係わり、特に、プレート部材を積層して形成されるハウジングレス式オイルクーラに関する。
【０００２】
【従来の技術】
従来、プレート部材を積層して形成されるハウジングレス式オイルクーラとして、例えば、特開平６−２６５２８２号公報，特開平７−１２０１８６号公報等に開示されるものが知られている。
図５は、特開平７−１２０１８６号公報に開示されるハウジングレス式オイルクーラを示すもので、このオイルクーラでは、コア部１を構成する一枚のプレート部材２に、位置決め用の舌片３が一体形成され、この舌片３に形成される係合溝３ａを、エンジンブロック４に形成されるオイルクーラ着座部５の係合部６に係合することにより、オイルクーラの位置決めが行われ、この状態でオイルクーラが、ボルト挿通孔７に挿通される図示しないスタッドボルトによりオイルクーラ着座部５に固定される。
【０００３】
【発明が解決しようとする課題】
しかしながら、このような従来のハウジングレス式オイルクーラでは、オイルクーラ着座部５へのオイルクーラの位置決めを行う位置決め部材を、コア部１を構成する一枚のプレート部材２に、位置決め用の舌片３を一体形成して構成しているため、プレート部材２がアルミニウムからなる場合には、充分な強度を得ることが困難になり、オイルクーラ着座部５へのオイルクーラの取り付け時等に舌片３が変形し、正確な位置決めを行うことが困難になる虞があるという問題があった。
【０００４】
本発明は、かかる従来の問題を解決するためになされたもので、位置決め部材がアルミニウムからなる場合にも充分な強度を得ることができるハウジングレス式オイルクーラを提供することを目的とする。
【０００５】
【課題を解決するための手段】
請求項１のハウジングレス式オイルクーラは、アルミニウム製のプレート部材を積層して形成されるコア部の下面を覆って、オイルクーラ着座部に固定されるアルミニウム製の取付プレートを配置するとともに、コア部の下面と取付プレートとの間にアルミニウム製の補強プレートを介在させ、この補強プレートをコア部の下面および取付プレートにろう付けしてなるハウジングレス式オイルクーラにおいて、取付プレートの外周に、オイルクーラ着座部側に突出する突出部を一体形成するとともに、この突出部と補強プレートとの間にアルミニウム製の位置決め部材を挟持してろう付けし、位置決め部材に形成される突起部を、突出部に形成される切欠溝からオイルクーラ着座部側に突出してなることを特徴とする。
【０００６】
請求項２のハウジングレス式オイルクーラは、請求項１記載のハウジングレス式オイルクーラにおいて、位置決め部材の突起部を、突出部の切欠溝に圧入してなることを特徴とする。
【０００７】
（作用）
請求項１のハウジングレス式オイルクーラでは、取付プレートの突出部と補強プレートとの間にアルミニウム製の位置決め部材を挟持した状態でろう付けが行われ、位置決め部材が強固に固定される。
【０００８】
そして、位置決め部材の突起部が、突出部に形成される切欠溝からオイルクーラ着座部側に突出される。
請求項２のハウジングレス式オイルクーラでは、位置決め部材の突起部が、突出部の切欠溝に圧入され、ろう付け前の固定が行われる。
【０００９】
【発明の実施の形態】
以下、本発明の詳細を図面に示す実施形態について説明する。
【００１０】
図１および図２は、本発明のハウジングレス式オイルクーラの一実施形態を示しており、符号１１は、アルミニウムからなる円皿状の第１プレート１３と第２プレート１５とを交互に積層して形成されるコア部を示している。
このコア部１１の上部には、アルミニウムからなる外側ケーシング１７が配置されている。
【００１１】
外側ケーシング１７には、冷却水を流入する入口パイプ１９、および、冷却水を流出する出口パイプ２１が突設されている。
一方、コア部１１の下部には、アルミニウムからなる下プレート２３，補強プレート２５，取付プレート２７が順次配置されている。
補強プレート２５は、アルミニウムのクラッド材からなり、両面にろう材層が形成されている。
【００１２】
また、取付プレート２７は、アルミニウムのクラッド材からなり、補強プレート２５側の面にろう材層が形成されている。
外側ケーシング１７，コア部１１，下プレート２３，補強プレート２５および取付プレート２７の中央には、補強パイプ２９が挿通される貫通穴３１が形成されている。
【００１３】
この補強パイプ２９には、図２に示すように、スタッドボルト３３が挿通されている。
また、下プレート２３，補強プレート２５および取付プレート２７には、オイル穴３５が形成されている。
取付プレート２７の下面には、図示しないＯリングが収容される環状凹溝３７が形成されている。
【００１４】
そして、この実施形態では、取付プレート２７の外周には、図２に示すオイルクーラ着座部３９側に突出する突出部２７ａが一体形成されている。
突出部２７ａは、矩形形状をしており、その中央には、外周から中心に向けて、矩形状の切欠溝２７ｂが形成されている。
突出部２７ａと補強プレート２５との間には、アルミニウム製の位置決め部材４１が挟持されろう付けされている。
【００１５】
そして、位置決め部材４１に形成される突起部４１ａが、突出部２７ａに形成される切欠溝２７ｂからオイルクーラ着座部３９側に突出されている。
この実施形態では、位置決め部材４１の突起部４１ａが、突出部２７ａの切欠溝２７ｂに圧入されている。
上述したハウジングレス式オイルクーラでは、位置決め部材４１の突起部４１ａを、突出部２７ａの切欠溝２７ｂに圧入して仮止めした後、取付プレート２７の突出部２７ａと補強プレート２５との間にアルミニウム製の位置決め部材４１を挟持した状態でろう付けが行われ、位置決め部材４１が補強プレート２５と突出部２７ａに強固に固定される。
【００１６】
なお、ろう付けは、ハウジングレス式オイルクーラを構成する各部品を組み立てた後、各部品に非腐食性フラックスを塗布し、これを乾燥させた後、これ等を炉中にて加熱することにより行われる。
そして、このようにして製造されたハウジングレス式オイルクーラは、図２に示すように、取付プレート２７の突出部２７ａの切欠溝２７ｂからオイルクーラ着座部３９側に突出する位置決め部材４１の突起部４１ａを、エンジンブロック４３に形成されるオイルクーラ着座部３９の係合部３９ａに係合することにより、オイルクーラの位置決めが行われ、この状態でオイルクーラが、スタッドボルト３３によりオイルクーラ着座部３９に固定される。
【００１７】
以上のように構成されたハウジングレス式オイルクーラでは、取付プレート２７の突出部２７ａと補強プレート２５との間にアルミニウム製の位置決め部材４１を挟持した状態でろう付けが行われるため、位置決め部材４１を強固に固定することができる。
そして、位置決め部材４１の突起部４１ａを、突出部２７ａに形成される切欠溝２７ｂからオイルクーラ着座部３９側に突出したので、切欠溝２７ｂにより突起部４１ａが強固に支持され、位置決め部材４１がアルミニウムからなる場合にも充分な強度を得ることができる。
【００１８】
また、上述したハウジングレス式オイルクーラでは、位置決め部材４１の突起部４１ａを、突出部２７ａの切欠溝２７ｂに圧入するようにしたので、位置決め部材４１をオイルクーラに容易，確実に仮固定することができる。
なお、上述した実施形態では、位置決め部材４１をブロック材により形成した例について説明したが、本発明はかかる実施形態に限定されるものではなく、例えば、図３の（ａ）に示すように、板材を折曲して突起部４１ｂを形成しても良く、また、（ｂ）に示すように、突起部４１ｃに傾斜面４１ｄを形成しても良い。
【００１９】
さらに、上述した実施形態では、突出部２７ａを矩形状に形成した例について説明したが、本発明はかかる実施形態に限定されるものではなく、例えば、図４に示すように、突出部２７ｃの両側を中心に向けて傾斜させ、この突出部２７ｃに対応する形状の位置決め部材４１ｅを突出部２７ｃに挿入しても良い。
また、上述した実施形態では、オイルクーラをエンジンブロック４３に形成されるオイルクーラ着座部３９に取り付けた例について説明したが、本発明はかかる実施形態に限定されるものではなく、エンジンブロック以外の位置に取り付けても良い。
【００２０】
【発明の効果】
以上述べたように、請求項１のハウジングレス式オイルクーラでは、取付プレートの突出部と補強プレートとの間にアルミニウム製の位置決め部材を挟持した状態でろう付けが行われるため、位置決め部材を強固に固定することができる。
そして、位置決め部材の突起部を、突出部に形成される切欠溝からオイルクーラ着座部側に突出したので、切欠溝により突起部が強固に支持され、位置決め部材がアルミニウムからなる場合にも充分な強度を得ることができる。
【００２１】
請求項２のハウジングレス式オイルクーラでは、位置決め部材の突起部を、突出部の切欠溝に圧入するようにしたので、位置決め部材をオイルクーラに容易，確実に仮固定することができる。
【図面の簡単な説明】
【図１】本発明のハウジングレス式オイルクーラの一実施形態を示す分解斜視図である。
【図２】図１のハウジングレス式オイルクーラをオイルクーラ着座部に固定した状態を示す側面図である。
【図３】位置決め部材の他の例を示す側面図である。
【図４】突出部の他の例を示す上面図である。
【図５】従来のハウジングレス式オイルクーラを示す側面図である。
【符号の説明】
１１  コア部
２５  補強プレート
２７  取付プレート
２７ａ  突出部
２７ｂ  切欠溝
３９  オイルクーラ着座部
４１  位置決め部材
４１ａ  突起部
【図１】
0003781501.tif 000002
【図２】
0003781501.tif 000003
【図３】
0003781501.tif 000004
【図４】
0003781501.tif 000005
【図５】
0003781501.tif 000006